(57)【特許請求の範囲】
【請求項１】
内側に家庭用薄葉紙を収納すると共に、収納された前記家庭用薄葉紙を取り出す取出口が上部に形成された容器本体と、
前記容器本体の内部で回転可能に支持され、互いの外周部で前記家庭用薄葉紙を挟んで上方の取出口に向かって繰り出しを行う一対の繰り出し回転体と、
前記容器本体に対して上下動可能に支持されると共に少なくとも一方の前記繰り出し回転体の外周部との間に噛み合い構造部を有する取り出し操作体とを備え、
前記噛み合い構造部は、前記取り出し操作体の下降移動時に前記繰り出し回転体を繰り出し方向に回転させるように噛み合うと共に当該繰り出し方向への回転動作のみを伝達可能なワンウェイクラッチ構造であることを特徴とする家庭用薄葉紙収納容器。
【請求項２】
前記取出口には開閉可能な扉状の蓋体が設けられ、
当該蓋体は弾性又は自重を利用した常閉式であり、
前記取り出し操作体の下降移動時に前記蓋体を開かせる連動手段を備えることを特徴とする請求項１記載の家庭用薄葉紙収納容器。
【請求項３】
前記噛み合い構造部は、前記繰り出し回転体の外周部に沿って形成された噛み合い歯と、前記取り出し操作体における前記繰り出し回転体の外周部との対向部位に上下方向に沿って形成されたラック状の噛み合い歯とを備え、
前記取り出し操作体側の噛み合い歯は前記繰り出し回転体の外周部に対して接離可能に設けられ、
前記各噛み合い歯の歯面が、前記取り出し操作体を上昇移動させる場合に当該取り出し操作体を前記繰り出し回転体から離間させる方向に接触圧を生じる向きで形成されていることを特徴とする請求項１又は２記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
家屋の床やトイレ、或いは人体などを拭くための家庭用薄葉紙を収納する家庭用薄葉紙収納容器は、容器本体の上部に家庭用薄葉紙の取出口を有し、家庭用薄葉紙の紙端を摘んで上側に引っ張り出すように取り出して使用するものが一般的であった（例えば、特許文献１参照）。
【先行技術文献】
【特許文献】
【０００３】
【特許文献１】特開平０７−２０６０５５号公報
【発明の概要】
【発明が解決しようとする課題】
【０００４】
しかしながら、上述のような家庭用薄葉紙の取り出しの際には、引っ張り出すという作業が必須であり、家庭用薄葉紙のみ摘んで引っ張ると容器全体が引き寄せられて肝心の家庭用薄葉紙が取り出せなかったり、容器の形状によっては当該容器が転倒してしまったりする不都合があった。これは特に、容器内の家庭用薄葉紙が残り少なくなって、容器全体が軽くなると顕著に生じる現象であった。
これらは、一方の手で容器を押さえ、もう一方の手で家庭用薄葉紙を引っ張り出すという操作により防止することが可能であるが、家庭用薄葉紙の取り出しの際には両手が必要となって片手で簡単に取り出すことができなくなるという別の問題が生じていた。
【０００５】
本発明は、家庭用薄葉紙の取り出し作業を容易に行うことができるようにすることをその目的とする。
【課題を解決するための手段】
【０００６】
請求項１記載の発明は、内側に家庭用薄葉紙を収納すると共に、収納された前記家庭用薄葉紙を取り出す取出口が上部に形成された容器本体と、前記容器本体の内部で回転可能に支持され、互いの外周部で前記家庭用薄葉紙を挟んで上方の取出口に向かって繰り出しを行う一対の繰り出し回転体と、前記容器本体に対して上下動可能に支持されると共に少なくとも一方の前記繰り出し回転体の外周部との間に噛み合い構造部を有する取り出し操作体とを備え、前記噛み合い構造部は、前記取り出し操作体の下降移動時に前記繰り出し回転体を繰り出し方向に回転させるように噛み合うと共に当該繰り出し方向への回転動作のみを伝達可能なワンウェイクラッチ構造であることを特徴とする。
【０００７】
請求項２記載の発明は、請求項１記載の発明と同様の構成を備えると共に、前記取出口には開閉可能な扉状の蓋体が設けられ、当該蓋体は弾性又は自重を利用した常閉式であり、前記取り出し操作体の下降移動時に前記蓋体を開かせる連動手段を備えることを特徴とする。
【０００８】
請求項３記載の発明は、請求項１又は２記載の発明と同様の構成を備えると共に、前記噛み合い構造部は、前記繰り出し回転体の外周部に沿って形成された噛み合い歯と、前記取り出し操作体における前記繰り出し回転体の外周部との対向部位に上下方向に沿って形成されたラック状の噛み合い歯とを備え、前記取り出し操作体側の噛み合い歯は前記繰り出し回転体の外周部に対して接離可能に設けられ、前記各噛み合い歯の歯面が、前記取り出し操作体を下降移動させる場合に当該取り出し操作体を前記繰り出し回転体側に引き寄せる方向に接触圧を生じ、前記取り出し操作体を上昇移動させる場合に当該取り出し操作体を前記繰り出し回転体から離間させる方向に接触圧を生じる向きで形成されていることを特徴とする。
【発明の効果】
【０００９】
請求項１記載の発明は、取り出し操作体と繰り出し回転体との間に形成された噛み合い構造部が、取り出し操作体の下降移動時に繰り出し回転体を繰り出し方向に回転させるように噛み合うと共に当該繰り出し方向への回転動作のみを伝達可能とするので、取り出し操作体を容器本体に対して下方に押し下げる操作で容器内部の家庭用薄葉紙を取出口から外部に繰り出すことが可能となり、取り出しの際に容器が引き寄せられたり転倒したりすることなく、家庭用薄葉紙の取り出し操作を容易に行うことが可能となる。このため、容器を押さえる必要がなくなり、片手で家庭用薄葉紙を取り出すことも可能となる。
また、噛み合い構造部は、取り出し操作体を上方に移動させても繰り出し回転体には回転動作が付与されないワンウェイクラッチ構造を有するので、取り出し操作体の一回の下降動作によって家庭用薄葉紙が取り出しきれない場合でも取り出し操作体の上下移動を繰り返し行えば良く、家庭用薄葉紙の取り出しをより確実に行うことが可能となる。
【００１０】
請求項２記載の発明は、開閉可能な蓋体が設けられ、取り出し操作体の下降移動時に連動して蓋体が開くので、家庭用薄葉紙の取り出し作業の際に蓋体を開く作業を不要とし、取り出しの容易性を損なうことがない。その上、家庭用薄葉紙を取り出す必要がないときには取出口を蓋体で閉じておくことが可能であるため、容器本体内への塵芥等の侵入を防止することができ、また、家庭用薄葉紙が湿式のものである場合には容器内の乾燥を防止することが可能となる。
【００１１】
請求項３記載の発明は、噛み合い構造部の取り出し操作体側の噛み合い歯と繰り出し回転体側の噛み合い歯の歯面が、取り出し操作体を上昇移動させる場合に当該取り出し操作体を繰り出し回転体から離間する方向に作用するので、噛み合い構造部のワンウェイクラッチ構造を容易に実現している。
【図面の簡単な説明】
【００１２】
【図１】本発明の実施形態としての家庭用薄葉紙収納容器の平面図である。
【図２】図１のＷ−Ｗ線に沿った断面図である。
【図３】図２のＶ−Ｖ線に沿った断面図である。
【図４】図２の状態から家庭用薄葉紙の繰り出し操作を行った状態を示す断面図である。
【図５】取り出し操作体の下降時における噛み合い構造部の作用を示す説明図である。
【図６】取り出し操作体の上昇時における噛み合い構造部の作用を示す説明図である。
【発明を実施するための形態】
【００１３】
図１は本発明の実施形態としての家庭用薄葉紙収納容器１０の平面図、図２は図１のＷ−Ｗ線に沿った断面図、図３は図２のＶ−Ｖ線に沿った断面図、図４は図２の状態から家庭用薄葉紙Ｐの繰り出し操作を行った状態を示す断面図である。
なお、以下の説明において、鉛直上下方向をＺ軸方向、所定の水平方向をＸ軸方向、水平であってＸ軸方向に直交する方向をＹ軸方向とする。また、以下に説明する家庭用薄葉紙収納容器１０は水平面上に置かれた状態にあるものとして説明する。
【００１４】
（家庭用薄葉紙収納容器の概略構成）
家庭用薄葉紙収納容器１０は、図２に示すように、例えば、内側下部にロール状の家庭用薄葉紙Ｐ（例えば、ロール状に巻かれたウェットシートやウェットティッシュ等のロールペーパー）を収納するとともに、収納された家庭用薄葉紙Ｐを外側に取り出す取出口２１が形成された容器本体２０と、この容器本体２０の取出口２１の開閉を行う扉状の蓋体２５，２５と、容器本体２０の内部で回転可能に支持され、互いの外周部で家庭用薄葉紙Ｐを挟んで上方の取出口２１に向かって繰り出しを行う一対の繰り出し回転体としての繰り出しローラ３０，３０と、容器本体２０に対して上下動可能に支持されると共にそれぞれの繰り出しローラ３０，３０に繰り出し動作方向の回転を付与する取り出し操作体４０と、各繰り出しローラ３０と取り出し操作体４０との間に形成された噛み合い構造部５０とを備えている。
【００１５】
（家庭用薄葉紙）
この家庭用薄葉紙収納容器１０に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
【００１６】
（容器本体）
容器本体２０は、図２に示すように、その中心線がＺ軸方向に向けられた円筒状であって、その底面と上面とはいずれも閉塞され、内部に密閉空間を形成している。
また、容器本体２０の外周面上であって、容器本体２０を上方から見て直径方向両端部となる二箇所の位置にはＺ軸方向に沿って取り出し操作体４０の上下動を可能とする上下動ガイド部２２，２２が形成されている。かかる各上下動ガイド部２２，２２は、水平断面がコ字状となる保持部２３，２３が互いにその開口部が向かい合わせとした状態で上下方向に一様に形成されている。そして、これらコ字状の保持部２３，２３の間に取り出し操作体４０の二つの長尺平板状の支柱４２，４２がそれぞれ挿入され、上下動ガイド部２２に沿って上下に滑動可能となっている。
【００１７】
容器本体２０は、その全体が、例えば、ＰＥ（ポリエチレン）やＰＰ（ポリプロピレン）、或いはＰＥＴ（ポリエチレンテレフタレート）、ＡＢＳ樹脂等を用いて、射出成形、二色成形、ブロー成形等により一体的に形成されている。
そして、容器本体２０の上面中央部には内部の家庭用薄葉紙Ｐを取り出すための四角い取出口２１が形成されている。かかる取出口２１には、両開きの扉状の蓋体２５，２５が容器本体20の上面と一体的に形成されている。即ち、各蓋体２５，２５はその回動端部と回動端部とを突き合わせるように向けられた片持ち梁構造を採っており、容器本体２０と一体的に形成されることから、容器本体２０の材質の有する可撓性に従ってその基端部が撓むことで回動可能とし、開閉を行うようになっている。また、各蓋体２５，２５は通常は容器本体２０の上面と面一の状態（図２の状態）を維持し、取出口２１を閉じた状態となっている。そして、蓋体２５，２５の材質による弾性に抗して蓋体２５，２５を押し込むことで、各蓋体２５，２５の基端部が撓んで回動端部が回動を行い、取出口２１が開かれるようになっている。また、各蓋体２５，２５は押し込む外力から解放されると、その弾性により閉状態に戻るいわゆる常閉式となっている。
【００１８】
（繰り出しローラ）
繰り出しローラ３０，３０は、容器本体２０の内部で家庭用薄葉紙Ｐの上方において、Ｘ軸方向に沿った回転軸３１，３１に軸支されている。これらの繰り出しローラ３０，３０は、いずれもＺ軸方向について同じ高さで且つＹ軸方向に並んで配置され、また、家庭用薄葉紙Ｐがローラ間で挟み込まれて繰り出しが行われるように互いの外周面を近接させるように配置されている。
また、かかる各繰り出しローラ３０，３０の外周面には噛み合い構造部５０を構成するローラ側噛み合い歯５２，５２が形成されている。これについては後述する。
【００１９】
（取り出し操作体）
取り出し操作体４０は、その上部に位置するＹ軸方向に沿った長尺状の天板４１と、当該天板４１のＹ軸方向両端部から下方に垂下支持されている二つの支柱４２，４２と、各支柱４２，４２の内側に隣接して天板４１から垂下支持されている二つのラック板４３，４３と、天板４１のＹ軸方向中央に形成された開口部４４と、天板４１における開口部４４のＹ軸方向両側となる位置から垂下支持されている二つの蓋開放部４５，４５とを備えている。
取り出し操作体４０は、その全体が一体的に形成されており、例えば、ＰＥ（ポリエチレン）やＰＰ（ポリプロピレン）、或いはＰＥＴ（ポリエチレンテレフタレート）、ＡＢＳ樹脂等を用いて、射出成形、二色成形、ブロー成形等により一体的に形成されている。
【００２０】
天板４１は、図１に示すように、平面視でＹ軸方向に沿った長尺な平板であり、その長手方向中央部には前述したように開口部４４が形成されている。かかる開口部４４は容器本体２０の取出口２１の真上に位置しており、取り出し操作体４０が取出口２１を塞いで家庭用薄葉紙Ｐの取り出しを妨げることがないようにするために形成されている。
【００２１】
二つの支柱４２，４２は、Ｚ−Ｘ平面に平行且つＺ軸方向に沿った長尺の平板状に形成されており、前述したように、いずれもガイド部２２の各保持部２３の隙間に挿入されてＺ軸方向に沿ってスライド可能に保持されるようになっている。
【００２２】
各ラック板４３，４３は、Ｚ−Ｘ平面に平行且つＺ軸方向に沿った長尺の平板状に形成されており、それぞれ支柱４２，４２の内側に隣接して設けられている。これら各ラック板４３，４３は、容器本体２０の上面に形成されたスリット２６，２６に挿入され、各ラック板４３，４３の内側の面が各に形成された各繰り出しローラ３０，３０の外周面に接する配置となっている。
【００２３】
そして、これらラック板４３，４３のローラ側の平面と各繰り出しローラ３０，３０の外周面とにそれぞれ噛み合い構造部５０が形成されており、また、各ラック板４３，４３のローラ側の平面と各繰り出しローラ３０，３０の外周面における他方の繰り出しローラとの近接部位とは逆側の部位（図２における左側のローラ３０の外周左側部位と右側のローラの外周右側部位）とが当接している。これにより、取り出し操作体４０を下降させることで各ラック板４３，４３が各繰り出しローラ３０，３０を転動させることを可能としている。
【００２４】
各蓋開放部４５，４５は、それぞれ蓋体２５，２５の真上となる位置に設けられ、その下端部が取り出し操作体４０の下降時に各蓋体２５，２５に当接して、取り出し操作体４０の下降移動に伴い、各蓋体２５，２５を下方に押し開くことが可能となっている。つまり、これら各蓋開放部４５，４５は、取り出し操作体４０の下降移動時に蓋体２５，２５を開かせる連動手段として機能するようになっている。
【００２５】
（噛み合い構造部）
噛み合い構造部５０は、前述したように、ラック板４３，４３のローラ側の平面と各繰り出しローラ３０，３０の外周面とに形成されている。
即ち、ラック板４３，４３側には、Ｚ軸方向に並んだラック状の噛み合い歯５１がそれぞれ形成されている。この噛み合い歯５１は、いわゆる歯車の噛み合い歯に近似して、一定のピッチ間隔で凸状の噛み合い歯が並ぶ構造であるが、正面視での断面形状が図５に示すように鋸歯状であり、いずれのラック板４３，４３とも、歯先が下方に向けて傾斜した構造となっている。
【００２６】
また、各繰り出しローラ３０，３０には、ラック板４３，４３の噛み合い歯５１，５１に嵌合する形状で、歯車の噛み合い歯に近似して、外周面に沿って一定のピッチ間隔で凸状の噛み合い歯５２，５２が並ぶ構造となっている。
そして、正面視での断面形状が図５に示すように鋸歯状であり、いずれの繰り出しローラ３０，３０とも、外周における各ラック板４３，４３と噛合する位置で、歯先が上方に向けて傾斜した構造となっている。
つまり、図２における左側の繰り出しローラ３０の噛み合い歯５２は外周における左部位でラック板４３の噛み合い歯５１に噛合するので、繰り出しローラ３０の外周左側で噛み合い歯５２の歯先が上方に傾斜した状態となり、噛み合い歯５２の歯先は図２における時計回り方向に向かって傾斜していることとなる。
また、図２における右側の繰り出しローラ３０の噛み合い歯５２は外周における右部位でラック板４３の噛み合い歯５１に噛合するので、繰り出しローラ３０の外周右側で噛み合い歯５２の歯先が上方に傾斜した状態となり、噛み合い歯５２の歯先は図２における反時計回り方向に向かって傾斜していることとなる。
【００２７】
図５及び図６により噛み合い構造部５０の作用を説明する。なお、これら図５及び図６はいずれも図２における左側のラック板４３及び繰り出しローラ３０についてのみ図示するものであるが、右側のラック板４３及び繰り出しローラ３０について対称的に同様の作用を生じるので図示及び説明は省略する。
ラック板４３側の噛み合い歯５１は、その上部と下部とにそれぞれ傾斜面５１ａと５１ｂとが形成され、繰り出しローラ３０側の噛み合い歯５２は、その上部と下部とにそれぞれ傾斜面５２ａと５２ｂとが形成されている。
【００２８】
そして、取り出し操作体４０を下方に押し下げると、ラック板４３側の噛み合い歯５１の下側の傾斜面５１ｂと繰り出しローラ３０側の噛み合い歯５２の上側の傾斜面５２ａとが圧接することとなるが、ラック板４３側の噛み合い歯５１は先端が下方に傾斜しているので、繰り出しローラ３０側の噛み合い歯５２から図５に示す矢印方向に反力Ｒ１を受けることになる。かかる反力Ｒ１は傾斜面５１ｂ（５２ａ）に垂直となり、当該反力Ｒ１はラック板４３を繰り出しローラ３０側に引き寄せる方向の成分を含んでいるため、噛み合い歯５１と噛み合い歯５２との噛み合い状態が効果的に維持される。従って、取り出し操作体４０を下方に押し下げると、各ラック板４３、４３は、各繰り出しローラ３０，３０を回転させることが可能となる。このとき、各繰り出しローラ３０，３０は、外周における互いの近接部位が上方に移動する方向に回転を行う（図２で左側の繰り出しローラ３０は反時計方向、右側の繰り出しローラ３０は時計方向）。従って、各繰り出しローラ３０、３０の間に、図２のように、家庭用薄葉紙Ｐの始端部が挟まれている状態の場合、当該家庭用薄葉紙Ｐを上方に向かって送り出すことが可能となる。
【００２９】
一方、取り出し操作体４０を上方に引き上げると、ラック板４３側の噛み合い歯５１の上側の傾斜面５１ａと繰り出しローラ３０側の噛み合い歯５２の下側の傾斜面５２ｂとが圧接することとなるが、ラック板４３側の噛み合い歯５１は先端が下方に傾斜しているので、繰り出しローラ３０側の噛み合い歯５２から図６に示す矢印方向に反力Ｒ２を受けることになる。かかる反力Ｒ２は傾斜面５１ａ（５２ｂ）に垂直となり、当該反力Ｒ２はラック板４３を繰り出しローラ３０から引き離す方向の成分を含んでいる。そして、ラック板４３は、その上端部のみで支持され、下端部は自由端となる片持ち梁と同じ構造であるため、取り出し操作体４０の剛性に応じて、ラック板４３の自由端となる下端部はＹ軸方向に沿って容易に揺動可能となっている。
このため、ラック板４３は、反力Ｒ２を受けると、繰り出しローラ３０から離間する方向に容易に撓みを生じ、噛み合い歯５１と噛み合い歯５２との噛み合い状態を維持することができず、繰り出しローラ３０に回転を伝えることなくラック板４３のみが上方に引き上げられることとなる。従って、各繰り出しローラ３０、３０の間に、図２のように、家庭用薄葉紙Ｐの始端部が挟まれている状態の場合、当該家庭用薄葉紙Ｐが下方に押し戻されることないようになっている。
このように、噛み合い構造部５０は、取り出し操作体４０の下方移動時には繰り出しローラ３０に対して家庭用薄葉紙Ｐを上方に送り出す方向への回転を付与し、取り出し操作体４０の上方移動時には繰り出しローラ３０に対して回転力を伝えない、いわゆるワンウェイクラッチとして機能するようになっている。
【００３０】
（家庭用薄葉紙の取出動作）
次に、家庭用薄葉紙収納容器１０における家庭用薄葉紙Ｐの取出動作について図２，４に基づいて説明する。
まず、各繰り出しローラ３０，３０の間に、家庭用薄葉紙Ｐの上端部が差し込まれた状態において、取り出し操作体４０を図２の状態から下方に押し込むと、各ラック板４３，４３から噛み合い構造部５０を介して各繰り出しローラ３０，３０に対して繰り出し方向の回転動作が付与される。これにより、家庭用薄葉紙Ｐは上方に送り出される。
そして、取り出し操作体４０の各蓋開放部４５，４５がそれぞれ蓋体２５，２５に当接して下方に押し開ける。これにより、上方に送り出される家庭用薄葉紙Ｐは取出口２１を通過し、取り出し操作体４０の開口部４４も通過して容器本体２０の外部に繰り出されることとなる。
また、取り出し操作体４０を上方に引き戻すと、各ラック板４３から各繰り出しローラ３０，３０に対して回転力は付与されず、取り出し操作体４０のみが引き上げられる。従って、家庭用薄葉紙Ｐが繰り出しの途中であっても下方に引き戻されることはないようになっている。また、各蓋開放部４５，４５は蓋体２５，２５から上方に離れるので、各蓋体２５，２５は自らの弾性により元の閉塞状態に戻ることとなる。
なお、取り出し操作体４０の一回の下降動作で家庭用薄葉紙Ｐを十分に繰り出せないときには取り出し操作体４０の上下動を複数回繰り返すこととなるが、上記の各動作が交互に行われることとなり、円滑に家庭用薄葉紙Ｐの繰り出しが実現する。
【００３１】
（家庭用薄葉紙収納容器の効果説明）
以上のように、家庭用薄葉紙収納容器１０では取り出し操作体４０と各繰り出しローラ３０，３０との間に形成された噛み合い構造部５０が、取り出し操作体４０の下降移動時に各繰り出しローラ３０，３０を繰り出し方向に回転させ、当該繰り出し方向への回転動作のみを伝達可能とするので、取り出し操作体４０を押し下げる操作で容器本体２０の内部の家庭用薄葉紙Ｐを取出口２１から外部に繰り出すことが可能となり、取り出しの際に容器が引き寄せられたり転倒したりすることなく、容易に行うことが可能となる。
また、噛み合い構造部５０は、取り出し操作体４０を上方に移動させても各繰り出しローラ３０，３０には回転動作が付与されないワンウェイクラッチ構造を有するので、取り出し操作体４０の一回の下降動作によって家庭用薄葉紙Ｐが取り出しきれない場合でも上下移動を繰り返し行えば良く、家庭用薄葉紙Ｐの取り出しをより確実に行うことが可能となる。
【００３２】
また、取り出し操作体４０には蓋開放部４５，４５が設けられているので、取り出し操作体４０の下降移動時に連動して蓋体２５，２５を開くことができ、より容易に家庭用薄葉紙の取り出しを可能とする。
また、蓋体２５，２５は容器本体２０内への塵芥等の侵入を防止することができ、また、家庭用薄葉紙が湿式のものである場合に容器内の乾燥を防止することが可能となる。
また、噛み合い構造部５０の取り出し操作体側の噛み合い歯５１と繰り出しローラ３０体側の噛み合い歯５２の歯がいずれも噛合位置で上方に向けて傾斜しているので、取り出し操作体４０の下方移動時のみ各繰り出しローラ３０，３０に繰り出し回転を付与するという作用を容易に実現することを可能としている。
【００３３】
（その他）
容器本体２０は例えば上下方向の中間でネジ構造などにより上下二つに分離可能とすることがより望ましい。その場合、分離された下部には家庭用薄葉紙Ｐのロールが収容され、分離された上部には各繰り出しローラ３０，３０や取出口２１、取り出し操作体４０が設けられるようにすること望ましい。かかる構成とすることで、内部の家庭用薄葉紙Ｐを補充したり、当初の家庭用薄葉紙Ｐの始端部を各繰り出しローラ３０，３０の間に挟み込ませる作業を容易に行うことが可能となる。
【００３４】
なお、上記取り出し操作体４０の二つの支柱４２，４２が挿入されるスリット２６，２６には、各支柱４２，４２の滑動を許容しつつも密閉性を確保するパッキングを設けても良い。
また、蓋体２５，２５もその周囲には隙間が生じやすいが、これらも蓋体２５，２５の回動を許容しつつも閉時には密閉性を生じるシール部材を設けても良い。
【００３５】
なお、上記取り出し操作体４０は二つの繰り出しローラ３０，３０の両方に対して回転力の付与を行っているが、片側だけに回転力を付与するよう噛み合い構造部５０を構成しても良い。その場合でも、取り出し操作体４０の下降により片方の繰り出しローラ３０のみに回転力が付与されても、各繰り出しローラ３０，３０間に挟まれた家庭用薄葉紙Ｐがもう一方の繰り出しローラ３０に回転力を伝達することとなり、両方の繰り出しローラ３０，３０により繰り出しを行うことが可能である。
【００３６】
また、上記家庭用薄葉紙収納容器１０ではロール状の家庭用薄葉紙Ｐを収納する場合を例示したが、例えば、一枚ずつカットされた家庭用薄葉紙Ｐを略二つ折りにして、互い違いに重ねて収納する場合にも、上記家庭用薄葉紙収納容器１０は適用可能である。なお、その場合、容器本体２０は直方体形状とすることがより望ましい。
【００３７】
また、蓋体２５は弾性により閉じた状態を維持する構造を採っているが、例えば、シーソーのように回動可能に支持され、一方の錘を設け、その自重により閉じた状態を維持する構造としても良い。
【符号の説明】
【００３８】
１０  家庭用薄葉紙収納容器
２０  容器本体
２１  取出口
２５  蓋体
３０  繰り出しローラ（繰り出し回転体）
４０  取り出し操作体
４３  ラック板
４５  蓋開放部（連動手段）
５０  噛み合い構造部
５１，５２  噛み合い歯
５１ａ，５１ｂ，５２ａ，５２ｂ  傾斜面
Ｐ  家庭用薄葉紙
【図１】
0005476174.tif 000002
【図２】
0005476174.tif 000003
【図３】
0005476174.tif 000004
【図４】
0005476174.tif 000005
【図５】
0005476174.tif 000006
【図６】
0005476174.tif 000007